(57)【要約】      （修正有）【課題】フレームに透明板を固定する形状の写真立てにおいて、写真の固定や交換作業時に、透明板が容易に脱落しないようにする。【解決手段】裏面に収納した写真を表面から見るための穴１１を有するフレームである表フレーム１０と、表フレームの穴を塞ぐ透明の板体である透明板２０と、表フレームの裏面を塞ぐとともに、写真を入れるための穴を有するフレームである、表フレームに固定される裏フレーム３０と、裏フレームに一体に形成され透明板の側面を保持するとともに、透明板の縁部近傍を表フレームの裏面に押し付けることで固定する透明板固定手段４０と、裏フレームの穴を塞ぐとともに、写真を透明板に押し付けることで固定する裏蓋５０とを設ける。【選択図】図３
0003109805.tif 000002
【実用新案登録請求の範囲】
【請求項１】
裏面に収納した写真を表面から見るための穴を有するフレームである表フレームと、
表フレームの前記穴を塞ぐ透明の板体である透明板と、
前記表フレームの裏面を塞ぐとともに、写真を入れるための穴を有するフレームである、前記表フレームに固定される裏フレームと、
前記裏フレームに一体に形成され前記透明板の側面を保持するとともに、前記透明板の端部近傍を前記表フレームの裏面に押し付けることで固定する透明板固定手段と、
前記裏フレームの穴を塞ぐとともに、前記写真を前記透明板に押し付けることで固定する裏蓋と
を有する写真立て。
【考案の詳細な説明】
【技術分野】
【０００１】
本考案は写真を装飾して飾るための写真立てに関する。
【背景技術】
【０００２】
写真立ては、ガラスなどの透明板をフレームの前面にはめ込み、この透明板に写真の表面を当接させて、写真を裏蓋などにより固定する構造を有するタイプのものが広く普及している。このタイプの写真立てにおいて、フレームへの透明板の固定は、フレームの裏面に形成された凹部に透明板を嵌め入れ、写真と一緒に裏蓋などで押圧する方法が一般的である。
【考案の開示】
【考案が解決しようとする課題】
【０００３】
しかし、透明板はフレームの凹部に嵌め入れられているだけであるので、写真をフレームに固定するために裏蓋を開けると、透明板は容易にフレームから脱落してしまう。特に、透明板がガラスである場合には、透明板の縁により怪我をする恐れもある。
本考案は、このような問題に鑑みて、フレームに透明板を固定する形状の写真立てにおいて、写真の固定や交換作業時に、透明板が容易に脱落しないようにすることを課題とする。
【課題を解決するための手段】
【０００４】
上記課題を解決するために、本考案は次のような構成を有する。
請求項１に記載の考案は、裏面に収納した写真を表面から見るための穴を有するフレームである表フレームと、表フレームの前記穴を塞ぐ透明の板体である透明板と、前記表フレームの裏面を塞ぐとともに、写真を入れるための穴を有するフレームである、前記表フレームに固定される裏フレームと、前記裏フレームに一体に形成され前記透明板の側面を保持するとともに、前記透明板の縁部近傍を前記表フレームの裏面に押し付けることで固定する透明板固定手段と、前記裏フレームの穴を塞ぐとともに、前記写真を前記透明板に押し付けることで固定する裏蓋とを有する写真立てである。
【考案の効果】
【０００５】
請求項１に記載の考案は、表フレームに透明板の側面を保持し、表フレームの裏面側へ透明板の縁部近傍を押圧する透明板固定手段が表フレームに固定されているので、写真を固定するために裏蓋をはずしても透明板が脱落することがなく、安全かつ簡易に作業を行うことができる。
【考案を実施するための最良の形態】
【０００６】
以下、本考案の実施形態について、図を参照しながら説明する。
図１に本考案に係る写真立てＸの背面図を示し、図２に写真立てＸの裏蓋を開いた状態を示す背面図を示し、図３に写真立てＸの図１におけるＡ−Ａ断面図を示す。なお、各図において写真立てＸには写真Ａが入れられた状態が示されている。写真立てＸは表フレーム１０、透明板２０、裏フレーム３０、透明板固定部４０、裏蓋５０とから構成される。
表フレーム１０は、合成樹脂製の扁平、直方体状の裏面側の底の無い箱体であり、表面は全体にやや凸状の曲面が形成されている。そして、表面には裏面に収納した写真を見るための穴１１が設けられており、この穴１の縁部には裏面に向かってリブ１１ａが設けられている。また、表フレーム１０の側面の内側に、裏面側が傾斜し、表面側が略垂直に切り立った係合爪１２が数箇所設けてある。
透明板２０は、表フレーム１０の前記穴を塞ぐ透明のガラスでできた、表フレーム１０の穴１１よりもやや大きな長方形状の板体である。
裏フレーム３０は前記表フレームの裏面を塞ぐ長方形状の合成樹脂性の板材により形成されるフレームである。裏フレームには裏蓋５０を嵌めるための長方形状の凹部３１と、写真を入れるための長方形状の穴３２が形成されている。また、裏フレーム３０は、前記表フレームの側面の内側に形成される係合爪１２に対応する位置の外側面に、係合爪１２に係合する係合凹部３３が形成されており、係合爪１２に係合凹部３３が係合することにより、裏フレーム３０は表フレーム１０に固定される。また、裏フレームの裏面には、矩形の回動可能な板よりなる裏蓋押さえ具３４が６箇所に設けられており、これにより裏蓋５０を固定するようになっている。
透明板固定部４０は前記裏フレーム３０に一体に形成されるものであり、前記透明板２０の外周にほぼ一致する内周面をもつロの字状に形成された板でできた枠部４１と、裏フレーム３０の写真を入れる穴３２の縁部に沿ってロの字状に形成された板でできた押さえ部４２とから構成される押さえ部４２の高さは、裏フレーム３０を表フレーム１０に固定した際に、表フレームの穴１１に形成されたリブ１１ａの先端面と押さえ部４２の先端面の間隔が略透明板２０の厚さに一致するように設定されている。
裏蓋５０は、裏フレームに設けられた凹部３１に係合する長方形状の外径を有する板材により形成され、表面側には、前記裏フレームの穴３２に外周が略一致するロの字状に形成された板でできた写真押さえ５１が形成され、裏面には、写真立てＸを平面上に立てるための折りたたみ可能な足５２が設けられている。写真押さえ５１の高さは、透明板２０の裏までに、写真Ａの厚さ分だけの隙間があく程度に設定されている。
【０００７】
写真立てＸは、上記のような構成を有するので、透明板２０を透明板固定部４０の枠部４１内に入れて、裏フレーム３０を表フレーム１０に固定すると、透明板４０は透明板固定部４０の枠部４１の内周面により保持されるとともに、透明板固定部４０の押さえ部４２と表フレームのリブ１１ａとにより挟持固定される。そして、写真Ａの固定は、このように透明板２０が固定された状態で、裏フレームの穴３２に写真Ａを入れて、裏蓋５０を裏フレームの凹部３１に嵌めて、ウレームの裏蓋押さえ具３３を裏蓋を押さえるように回動させることで行うことができる。すなわち、写真の出し入れにより、透明板２０が動くことがないので、写真の出し入れによる透明板２０の脱落がなく、作業が容易になるとともに、透明板２０の縁で怪我をする事故も防ぐことができる。
【図面の簡単な説明】
【０００８】
【図１】考案の実施形態に係る写真立ての裏面図である。
【図２】考案の実施形態に係る写真立ての裏蓋を開いた状態を示す裏面図である。
【図３】図１のＡ−Ａ断面図である。
【符号の説明】
【０００９】
Ｘ  写真立て
１０  表フレーム
２０  透明板
３０  裏フレーム
４０  透明板固定部
５０  裏蓋
【図１】
0003109805.tif 000003
【図２】
0003109805.tif 000004
【図３】
0003109805.tif 000005